(57)【要約】【課題】害虫の食入を防止することが可能な管状成形体の提供を課題とする。【解決手段】［１］管状に成形された本体４と、前記本体の外周側に配置された粘着剤を含む粘着層３と、前記粘着層よりもさらに外周側に配置された外層２と、が備えられた成形体。［２］前記粘着剤が前記外層を食い破って侵入した虫に付着し得る物質である上記成形体。［３］前記粘着剤が前記外層を破って侵入した虫の身動きを、その場で封じ得る物質である上記成形体。［４］前記粘着層の層厚が０．１〜０．８ｍｍである上記成形体。［５］前記粘着剤がシリコーン系粘着剤又はアクリル系粘着剤であることを特徴とする上記［１］〜［４］の何れか一項に記載の成形体。［６］前記粘着層が虫の忌避剤を含む上記成形体。［７］前記外層が紫外線吸収剤を含む上記成形体。【選択図】図３
2016107493.tif 000002
【特許請求の範囲】
【請求項１】
管状に成形された本体と、
前記本体の外周側に配置された粘着剤を含む粘着層と、
前記粘着層よりもさらに外周側に配置された外層と、
が備えられたことを特徴とする成形体。
【請求項２】
前記粘着剤が、前記外層を食い破って侵入した虫に付着し得る物質であることを特徴とする請求項１に記載の成形体。
【請求項３】
前記粘着剤が、前記外層を破って侵入した虫の身動きを、その場で封じ得る物質であることを特徴とする請求項２に記載の成形体。
【請求項４】
前記粘着層の層厚が、０．１〜０．８ｍｍであることを特徴とする請求項１〜３の何れか一項に記載の成形体。
【請求項５】
前記粘着剤が、シリコーン系粘着剤又はアクリル系粘着剤であることを特徴とする請求項１〜４の何れか一項に記載の成形体。
【請求項６】
前記粘着層が、虫の忌避剤を含むことを特徴とする請求項１〜５の何れか一項に記載の成形体。
【請求項７】
前記外層が、紫外線吸収剤を含むことを特徴とする請求項１〜６の何れか一項に記載の成形体。
【発明の詳細な説明】
【技術分野】
【０００１】
本発明は、管状の成形体に関する。
【背景技術】
【０００２】
従来、下水道管内に敷設された情報通信等の用途のケーブルが鼠によって咬まれることにより、漏電、断線等が発生する問題があった。この問題を解決するために、下水道管内にケーブルを保護する別の管を敷設し、その内部にケーブルを配置する技術が開示されている（特許文献１を参照）。
【先行技術文献】
【特許文献】
【０００３】
【特許文献１】特開２００２−２７１９３４号公報
【発明の概要】
【発明が解決しようとする課題】
【０００４】
上下水道やガス等のライフラインを構成する樹脂製の管状成形体を害虫が食い破る（食入する）問題がある。図１に示すようにポリエチレン管の管壁に穿孔が形成された場合、管内を流通する上下水道やガス等が漏出する恐れがある。
【０００５】
本発明は、上記事情を鑑みてなされたものであり、害虫の食入を防止することが可能な管状成形体の提供を課題とする。
【課題を解決するための手段】
【０００６】
［１］管状に成形された本体と、前記本体の外周側に配置された粘着剤を含む粘着層と、
前記粘着層よりもさらに外周側に配置された外層と、が備えられたことを特徴とする成形体。
［２］前記粘着剤が、前記外層を食い破って侵入した虫に付着し得る物質であることを特徴とする前記［１］に記載の成形体。
［３］前記粘着剤が、前記外層を破って侵入した虫の身動きを、その場で封じ得る物質であることを特徴とする前記［２］に記載の成形体。
［４］前記粘着層の層厚が、０．１〜０．８ｍｍであることを特徴とする前記［１］〜［３］の何れか一項に記載の成形体。
［５］前記粘着剤がシリコーン系粘着剤又はアクリル系粘着剤であることを特徴とする前記［１］〜［４］の何れか一項に記載の成形体。
［６］前記粘着層が、虫の忌避剤を含むことを特徴とする前記［１］〜［５］の何れか一項に記載の成形体。
［７］前記外層が、紫外線吸収剤を含むことを特徴とする前記［１］〜［６］の何れか一項に記載の成形体。
【発明の効果】
【０００７】
本発明の成形体によれば、害虫による食入を防止し、安定なライフランを構築することができる。
【図面の簡単な説明】
【０００８】
【図１】従来のＰＥ管の外周面から内部へ害虫が食入し、管壁に穿孔が形成された様子を示す写真である。
【図２】本発明の第一実施形態の成形体を示す斜視図である。
【図３】図１のＡ−Ａ線で切断した第一実施形態の断面図である。
【図４】第一実施形態の成形体を製造することが可能な押出成形装置の概略図である。
【発明を実施するための形態】
【０００９】
以下、本発明の第一実施態様である成形体と、その成形体の製造方法について、図面を参照して説明する。なお、以下の説明で用いる図面は模式的なものであり、長さ、幅、及び厚みの比率等は実際のものと同一とは限らず、適宜変更することができる。
【００１０】
図２は、本発明の第一実施形態である管状の成形体１を示す斜視図である。図３は、図１のＡ−Ａ線で、成形体１の長手方向（矢印Ｐ）に直交する方向で輪切りにした断面図である。これらの図に示すように、成形体１は、外層２と、粘着剤を含む中間層である粘着層３と、管状の本体４と、を備えている。粘着層３は本体４の外周４ａ側に配置されていればよい。本体４と粘着層３の間に別の層が備えられていてもよいし、粘着層３と外層２の間に別の層が備えられていてもよい。
【００１１】
本体４は、押出成形により、中空部５を有して一方向に延在するように管状に成形された管（パイプ）である。また、本体４は、中空部５を流れる流体（図示略）に耐性を有する材質から構成されている。本体４の材料は特に限定されず、例えば、押出成形が容易且つ安価である点で熱可塑性樹脂が好ましく、ポリオレフィンがより好ましく、ポリエチレンがさらに好ましい。また、成形体１の中空部５を流通する流体が下水である場合には、公知の真空送水法が適用可能な高密度ポリエチレンが好適である。
【００１２】
本体４の厚み（管の断面を構成する円弧の厚み）は特に限定されず、例えば５．０ｍｍ〜３０．０ｍｍ程度が好適である。
【００１３】
粘着層３は、管状に成形された本体４の外周面４ａの全体又は少なくとも一部を被覆する中間層である。本実施形態の成形体１においては、粘着層３が配置されているため、害虫が外層２を食い破った場合、粘着層３を構成する粘着剤が害虫に付着する。粘着剤は、害虫の自由な動きを妨げたり、害虫の呼吸器官を覆ったりすることにより、害虫の身動きを封じることが可能な物質であることが好ましい。
【００１４】
このような粘着剤としては、例えば、完全には固化していない半硬化状、ゲル状又は液状のポリマーが好ましい。具体例として、シリコーン系粘着剤（シリコーン系ポリマー）、アクリル系粘着剤（アクリル系ポリマー）が挙げられる。シリコーン系ポリマーとしては、シロキサン結合を主骨格として有する公知のシリコーン樹脂が好適である。アクリル系ポリマーとしては、アクリル酸又は（メタ）アクリル酸エステル等のアクリル酸誘導体を主なモノマーとして重合した公知のアクリル樹脂が好適である。粘着層３を構成する粘着剤は１種類であってもよいし、２種類以上であってもよい。
【００１５】
粘着層３の層厚（厚み）は特に限定されないが、例えば０．１ｍｍ〜０．８ｍｍ程度が好ましく、０．１ｍｍ〜０．６ｍｍがより好ましく、０．２ｍｍ〜０．４ｍｍが更に好ましい。０．１ｍｍ以上であると、害虫が粘着層３を突破して本体４に食い付くことを確実に防止できる。０．８ｍｍ以下であると、外層２と本体４の外周面４ａの距離が比較的近いため、外層２を本体４によって支持して、粘着層３を挿入したことによる外層２の物理的強度の低下を防止することができる。
【００１６】
粘着層３には、粘着層３を構成する樹脂成分以外の任意成分が含まれていてもよい。任意成分として、例えば、害虫を忌避する忌避剤が粘着層３に含まれていてもよい。このような忌避剤として、例えば、ハラジオカツオブシムシ等の食入を行うことが知られている害虫を駆除することが可能な公知の殺虫剤が使用できる。粘着層３における忌避剤の濃度は特に制限されず、忌避効果又は殺虫効果が得られる所定濃度で含有されることが好ましい。
【００１７】
外層２は、粘着層３よりも更に外周側を被覆する層である。外層２が備えられていることにより、粘着層３が外部に露出することなく、中間層として安定に保たれる。平時においては外層２が成形体１の外周面２ａを構成し、害虫の食入が開始された際には最初の防壁として機能し得る。
【００１８】
外層２の構成材料は特に限定されず、耐水性、耐光性、耐候性、防汚性を発揮する観点および成形性が良好で粘着層３を被覆し易い観点から、熱可塑性樹脂が好ましく、ポリオレフィンがより好ましい。具体的には、例えば再生ポリオレフィンを材料として使用することができる。外層２を構成する樹脂材料には、樹脂成分以外の成分が含まれていても良い。例えば、耐候性を向上させる目的及び粘着層３を紫外線から保護する目的で、外層２に公知の紫外線吸収剤（紫外線防護剤）を添加してもよい。
【００１９】
外層２の層厚（厚み）は特に限定されず、例えば１．０ｍｍ〜５．０ｍｍ程度が好適である。
【００２０】
次いで、本実施形態の成形体１の製造方法について説明する。
まず、成形体１を製造する押出成形装置５０の概略について説明する。図４は、成形体１の製造方法において使用可能な押出成形装置５０の概略図である。図に示すように、押出成形装置５０は、主として、主押出機５１、第一副押出機５２、第二副押出機５３、金型５１Ｃ及び冷却機５４，５５，５６を備えている。
【００２１】
主押出機５１は、成形体１の本体４を成形するためのポリエチレン等の樹脂材料（以下、本体樹脂材料という）を加熱溶融して、金型５１Ｃに供給するものであり、ホッパー５１Ａと、溶融部５１Ｂとを備えている。ホッパー５１Ａに本体樹脂材料を供給すると、ホッパー５１Ａは、本体樹脂材料を溶融部５１Ｂの一端側に供給する。
【００２２】
溶融部５１Ｂは、本体樹脂材料をその融点以上の温度で加熱し且つ不図示のスクリューで混練して溶融し、溶融部５１Ｂの他端側に押し出す。主押出機５１から押し出された溶融した本体樹脂材料は、金型５１Ｃに供給される。金型５１Ｃに供給された本体樹脂材料は、断面略円形に賦形される。
【００２３】
第一副押出機５２は、成形体１の粘着層３を形成するための粘着性を有する樹脂材料（以下、粘着層材料という）を加熱し、金型５１Ｃに供給するものである。粘着層３は、押出成形後の本体４の外周面４ａの一部又は全部を被覆するように、粘着層材料の粘着性が保たれた状態で塗布される。
【００２４】
第二副押出機５３は、成形体１の外層２を成形するための樹脂材料（以下、外層材料という）を加熱溶融し、金型５１Ｃに供給するものである。外層２は、粘着層３を介して、押出成形後の本体４の外周側の全体に一体的に成形される。
【００２５】
上記のように、金型５１Ｃは、主押出機５１から供給された溶融樹脂を概略円筒形状に賦形して本体４を成形し、さらに第一副押出機５２から供給された粘着層材料を本体４の外周面４ａに塗工して粘着層３を形成し、さらに第二副押出機５３から供給された溶融樹脂を粘着層３の上に押出して外層２を形成する金型である。金型５１Ｃから押し出された成形体１の温度は未だ高く、比較的柔らかい状態にある。
【００２６】
冷却機５４は、金型５１Ｃにより概略円筒形状に賦形された成形体１をサイジング（最終成形）する不図示のフォーミング金型を開口端部に備えた冷却手段である。冷却手段としては水槽等の公知の手段が適用されている。冷却機５５，５６は、最終成形された成形体１を段階的に冷却する手段であり、水槽等の公知の手段が適用されている。
【００２７】
金型５１Ｃから押し出された成形体１を一旦外気に触れさせて粗熱を取った後、冷却機５４の基端側開口部に設けた不図示のフォーミング金型によりサイジング（最終成形）した上で、冷却する。その後、サイジングされた成形体１を、水槽等により形成された冷却機５５，５６により更に段階的に冷却した後、所定の長さに切断され、図２に示す成形体１が完成する。
【００２８】
上記のように成形体１を製造する際に、本体４の材料としてポリオレフィンを用い、粘着層３の材料としてシリコーン系粘着剤及び／又はアクリル系粘着剤を用い、外層２の材料として再生ポリオレフィンを用いる場合は、主押出機５１、第一副押出機５２及び第二副押出機５３における加熱温度を例えば１９０〜２００℃とすることができる。また、金型５１Ｃから冷却機５４までの距離を例えば３０〜５０ｃｍ、冷却機５５，５６における本体材料、粘着層材料及び外層材料の冷却温度を例えば２０〜３０℃とすることができる。
【００２９】
以上で説明したように、本実施形態の成形体１は、管状に押出成形された本体４と、本体４の外周面４ａをコーティングする粘着層３と、粘着層３を介して本体４の外周面の全体を覆い、粘着層３を保護する外層２と、を備えているので、害虫が外層２を食い破って粘着層３に到達した場合、粘着剤が害虫に絡み付いて害虫の身動きを封じることができる。当該害虫は粘着層３に貼り付いた状態で留まるため、後続する別の害虫の侵入を妨げることができる。この結果、害虫が本体４を食い破って穿孔することを防ぎ、本体内の中空部５を流通する上下水道やガス等が漏出することを防ぎ、安定したライフラインを維持することができる。また、粘着層３を構成する粘着剤としてシリコーン系粘着剤又はアクリル系粘着剤を使用することにより、粘着層３の粘着効果を長期間に亘って安定に維持することができる。また、粘着層３に虫の忌避剤が含まれていると、仮に害虫が外層２を食い破った場合に、外層２に開いた孔から忌避剤が外部へ拡散するため、当該孔から害虫を遠ざけることができる。
【００３０】
以上、本発明の好ましい実施形態について詳述したが、本発明は係る特定の実施形態に限定されるものではなく、特許請求の範囲内に記載された本発明の要旨の範囲内において、種々の変形・変更が可能である。
【符号の説明】
【００３１】
１…成形体、２…外層、２ａ…外層の外周面、３…粘着層（中間層）、４…本体、４ａ…本体の外周面（外壁）、５…中空部、５０…押出成形装置
【図２】
2016107493.tif 000003
【図３】
2016107493.tif 000004
【図４】
2016107493.tif 000005
【図１】
2016107493.tif 000006